(57)【要約】【課題】手袋の指の曲がり具合を手の自然な状態に合わせて、良好な関節の動きを可能とする。【解決手段】親指を除いた各指に２つの折り又はマチを含む甲側の指部を有する手袋の型に関する。この型により、着用者には従来技術に係る単一の折り又はマチの型よりも快適で、より自然な指の曲率を有する手袋とできる。さらにこれらのマチは、マチが位置することになる甲側の指部分同士が対向する両側にＶ字状切り込みを形成しており、これによって先行技術とは異なる構成としている。これらのマチは、Ｖ字状切り込みが形成される部位で、好ましくはマチの長さに沿って端から端まで、縫い付けて固定される。この付加的な工程は従来技術に対して新規である上、ゆったりした状態で指のさらに自然な曲率に対応した角度で、マチを手袋に形成することが可能となる。【選択図】図１
2006161266.tif 000002
【特許請求の範囲】
【請求項１】
中央部と、それぞれが縁端部を有する４つの放射状の甲側の指部分を備えた星状型片を有する手袋の甲側の指部であって、
前記４本の甲側指部分はそれぞれ、この４本の甲側指部分の対向する縁部に第１のＶ字状切り込み対を形成し、前記第１のＶ字状切り込み対が前記４本の甲側指部分の縁端部近傍に位置しており、
さらに前記４本の甲側指部分はそれぞれ、この４本の甲側指部分の対向する縁部に第２のＶ字状切り込み対を形成しており、前記第２のＶ字状切り込み対が前記第１のＶ字状切り込み対と前記星状型片の中央部との間に位置していることを特徴とする手袋の甲側の指部。
【請求項２】
請求項１に記載の手袋の甲側の指部であって、
各甲側の指部分が、その中で前記指部分の幅方向にわたって設けられた第１及び第２のマチによって縮められており、前記第１のマチは、それ自体が折られた指部分の一部を含み、かつ前記第１のＶ字状切り込み対に位置しており、前記第２のマチは、それ自体が折られた指部分の一部を含み、かつ前記第２のＶ字状切り込み対に位置していることを特徴とする手袋の甲側の指部。
【請求項３】
請求項２に記載の手袋の甲側の指部であって、
各指部分の前記第１及び第２のマチが、複数の縫い目により固定されていることを特徴とする手袋の甲側の指部。
【請求項４】
請求項２に記載の手袋の甲側の指部であって、
各指部分の前記第１及び第２のマチが、各指部分の幅方向にわたって、複数の縫い目により固定されていることを特徴とする手袋の甲側の指部。
【請求項５】
請求項１に記載の手袋の甲側の指部であって、
前記星状型片の中央部が、内部に略矩形形状をなす切り抜きを形成することを特徴とする手袋の甲側の指部。
【請求項６】
請求項１に記載の手袋の甲側の指部であって、
前記中央部と４つの放射状の甲側の指部を備える前記星状型片が、手袋材料で一体に構成されてなることを特徴とする手袋の甲側の指部。
【請求項７】
請求項２に記載の手袋の甲側の指部であって、
各指部分の前記第１のマチが、着用者の指の中節骨と末節骨を繋ぐ第３関節にほぼ対応する箇所に位置していることを特徴とする手袋の甲側の指部。
【請求項８】
請求項２に記載の手袋の甲側の指部であって、
各指部分の前記第２のマチが、着用者の指の基節骨と中節骨を繋ぐ第２関節にほぼ対応する箇所に位置していることを特徴とする手袋の甲側の指部。
【請求項９】
請求項１に記載の甲側の指部を備えることを特徴とする手袋製造品。
【請求項１０】
請求項２に記載の甲側の指部を備えることを特徴とする手袋製造品。
【請求項１１】
請求項１０に記載の手袋製造品であって、
さらに手の甲側部と、掌部と、４つの平側の指部と、親指部を具備することを特徴とする手袋製造品。
【請求項１２】
請求項１０に記載の手袋製造品であって、
前記掌部及び４つの平側の指部が、ガンカットの型に構成されていることを特徴とする手袋製造品。
【発明の詳細な説明】
【技術分野】
【０００１】
本出願は、２００４年１２月９日出願の米国特許仮出願番号６０／６３４２６７の出願日の利益を請求するものである。
【０００２】
本発明は、手袋の型の設計（pattern design）に関する。具体的には、本発明は手袋の型についての新規な甲側の指部に関する。この型は、任意の種類の手袋、例えば作業用手袋やスキー用手袋に応用可能である。
【背景技術】
【０００３】
特許文献１（ラインハートの米国特許第４６５４８９６号）は、単一の折りあるいはマチを含む甲側の指部を有する手袋の型設計について説明している。その単一の折り又はタックは、第１の指関節のところに配置されており、甲側の指部分の型を掌側の指部分の型よりも僅かに長くすることによって作り出されている。そのマチは、甲側の指部が手袋の掌部に取り付けられる端部だけに取り付けられている。その甲側の指の型は、各人の指の形状に合致する指部を有する４方星形である。本特許文献１の図３から分かるように、手袋の指は直線状となっている。
【０００４】
特許文献２（クワハラの米国特許第５５０４９４２号）は、改良された４方星状型と、その改良された星状型に接続された別の甲側の指の先端部分を用いて、改良された甲側の指部を含む手袋について説明している。その手袋の型により、手袋が手の指の自然な曲率に対応する湾曲した指を有する結果となっている。
【特許文献１】米国特許第４６５４８９６号公報
【特許文献２】米国特許第５５０４９４２号公報
【発明の開示】
【課題を解決するための手段】
【０００５】
本発明は、親指を除いた各指に２つの折り又はマチを含む甲側の指部を有する手袋の型設計に関するものである。この型により、着用者には従来技術に係る単一の折り又はマチの型よりも快適で、より自然な指の曲率を有する手袋とできる。さらにこれらのマチは、マチが位置することになる甲側の指部分同士が対向する両側にＶ字状切り込み対を形成しており、これによって先行技術とは異なる構成としている。これらのマチは、Ｖ字状切り込み対が形成される部位で、好ましくはマチの長さに沿って端から端まで、縫い付けて固定される。この付加的な工程は従来技術に対して新規である上、ゆったりした状態で指のさらに自然な曲率に対応した角度で、マチを手袋に形成することが可能となる。この指の曲がり具合は、手袋を手の自然な状態に合わせるのに必要な関節の動きを提供する。
【発明を実施するための最良の形態】
【０００６】
図１は、本発明に係る甲側の指部の型を示す平面図であり、４本の指部分それぞれの各側部で、対向する２組の対になったＶ字状切り込み１を示している。この図において破線は、例えば複数の縫い目によって、マチが縫い付けられる位置を示している。
【０００７】
図２は、他の甲側の指部の型を示す平面図であり、星状型片２が、中央部３と、４つの放射状の甲側の指部分４を有し、各甲側の指部分４が先端部５を有する様子を示している。
【０００８】
４本の甲側指部分の各々は、４本の甲側指部分の対向する縁部に、対になった第１のＶ字状切り込み６を形成している。この第１のＶ字状切り込み対は、４本の甲側指部分の縁端部近くに位置している。破線は、例えば複数の縫い目によって、マチが縫い付けられる位置を示している。
【０００９】
さらに４本の甲側指部分の各々は、４本の甲側指部分の対向した縁部に、対になった第２のＶ字状切り込み７を形成する。この第２のＶ字状切り込み対は、第１のＶ字状切り込みと星状型片の中央部との間に位置している。
【００１０】
図２に示すように、本発明に係る手袋の甲側の指部は、１枚物の手袋材料であることが好ましい。あるいは、甲側の指部を２つ又はそれ以上の手袋材料で構成することもできる。
【００１１】
手袋の甲側の指部は、星状型片の中央部において、ほぼ矩形の形状をなす内部の切り抜き８を形成するのが好ましい。
【００１２】
図３は、図２に示す手袋の甲側の指部の平面図において、甲側の指部がそれぞれ第１及び第２のマチ９、１０によって縮められた状態を示している。第１及び第２のマチ９、１０は、指部分の幅方向にわたって延在して設けられている。第１のマチ９は、折り込まれた指部分の一部を含んでおり、第１のＶ字状切り込み対６に位置している。第２のマチ１０は、折り込まれた指部分の一部を含んでおり、第２のＶ字状切り込み対７に位置している。
【００１３】
各指部分の第１及び第２のマチは、複数の縫い目によって固定される。好ましくは、各指部分の第１及び第２のマチが複数の縫い目によって各指部分の幅方向にわたって横断するように縫い付けられる。
【００１４】
各指には、基節骨、中節骨、末節骨と呼ばれる３つの骨がある。各指は３つの関節を有する。第１関節は、指の基節骨が手と繋がっている部分であり、中手骨である。第２関節は、基節骨が中節骨と繋がっている部分である。第３関節は、中節骨が末節骨と繋がっている部分である。
【００１５】
各指部分の第１のマチは、装着者の指の中節骨と末節骨を連結する第３関節に対応する箇所にほぼ位置している。
【００１６】
各指部分の第２のマチは、装着者の指の基節骨と中節骨を連結する第２関節に対応する箇所にほぼ位置している。
【００１７】
また本発明には、上述した本発明に係る甲側の指部を含んだ手袋製造品も含む。この手袋はさらに、手の甲側部、掌部、４つの平側の指部及び親指部を備えている。この手袋の手の甲側部、掌部、４つの平側の指部及び親指部は、従来の任意の数の部材で構成された既存の任意の構造とすることができる。
【００１８】
図４は、本発明に係る手袋製造品の上面図を示しており、この手袋はスキー用手袋である。この手袋は、手首の周りで手袋を締めるために、オプションのリストストラップ１１を有する。またこの手袋は、手首あるいは前腕領域のまわりで手袋を締めるために、手袋の開口部内に縫い付けたオプションの締め紐１２を有しており、雪が手袋に入るのを防止する。さらにこの手袋は、指関節を怪我から保護するために指関節を被覆する、ゴム等の弾性部材で構成されたストリップ１３を備える。
【００１９】
図５は、一体に構成された掌と平側の指の型１４の平面図である。第４指部分と第５指部分の先端は、他の手袋材料から個別の部材として切り取られ、掌と平側の指の型並びに甲側の指の型に縫い付けられる。さらに図５は、掌と平側の指の型１４に接合されたオプションの掌強化部１５を示している。
【００２０】
図６は、一体に構成された掌と平側の指の型１６の他の例を示す平面図である。この型は、従来のガンカット（Gunn cut）の型を使って手袋製造品を構成するために使用される。このガンカットの型は、掌１７、小指（第５指）１８及び人差し指（第２指）１９のための、１枚物の型を特徴とする。２つの中央指（中指と薬指、すなわち第３指と第４指）は、１枚物として、他の手袋材料から切り取られて、掌と甲側の指部に縫いつけられる。図６は、掌と平側の指の型１６に接合された、オプションの掌強化部２０を示している。
【００２１】
図７は、図６に示す掌と前指の型を完成させるための２つの中央指の型を示す平面図である。
【００２２】
図８は、平側の指部に対応する指部分に縫い付けられた甲側の指部の指部分についての第１の実施形態を示す側面図である。
【００２３】
図９は、本発明を構成する指側部の他の形状についての第２の実施形態を示す側面図である。
【００２４】
図１０は、本発明を構成する指側部のさらに他の形状についての第３の実施形態を示す側面図である。
【００２５】
これら図８、図９及び図１０に示すように、この手袋の指部分は、指部分の側面縫い目の位置が指の高さに沿った位置で変化するように構成することもできる。この側面縫い目は、甲側の指部及び平側の指部の指部分の幅を調整することによって、変化する。図８において、側面縫い目は指の中間に沿って走っている。図９において、側面縫い目は指の中間より下側を走っている。図１０においては、側面縫い目は見えない。
【００２６】
親指は、従来の任意の型で構成できる。親指の甲側は、好ましくは図１１又は図１２に示すような型で構成する。図１１は、一対の浅いＶ字状切り込みを形成した、親指の甲側の指の型についての第１の実施形態を示す平面図である。この図において線は、単一のマチが形成されている箇所を示している。
【００２７】
図１２は、一対のさらに深いＶ字状切り込みを形成した、親指の甲側の指の型についての第２の実施形態を示す平面図である。図１２の実施形態は、親指の甲側の指の型が単一のマチを有することを除き、甲側の指部のＶ字状切り込みと類似の構成としている。
【００２８】
この手袋は、当該技術分野において既知のあらゆる天然素材又は合成素材で製造できる。天然素材の例としては、木綿や皮革が挙げられる。合成素材の例としては、ポリエステルや合成皮革が挙げられる。またこの手袋は、単一の部材で製造してもよいし、複数の部材で製造してもよい。さらにこの手袋は、防水層、耐水層、通気層及び／又は吸水層のような、一又はそれ以上のインナー層を具備してもよい。この一又はそれ以上のインナー層は、本発明に係る手袋製造品を含め、手袋を構成する任意の層に固定することができる。またこの層は取り外し自在であってもよい。
【００２９】
本発明に係る手袋製造品は、特許文献１（第４６５４８９６号）及び特許文献２（米国特許第５５０４９４２号）の開示内容で教示されるような、当該技術分野で知られている既存の任意の方法に従って構成できる。これらの特許文献の開示内容を、ここで引用することにより本明細書の開示として援用する。
【００３０】
以上の説明は、例示であって本発明を限定するものでなく、本発明者が本願で得られる特許にて保護されることを企図している本発明の範囲内において、他の異なる実施形態も採用できることは、当業者に明らかである。
【図面の簡単な説明】
【００３１】
【図１】本発明に係る手袋の甲側の指部の型についての第１の実施形態を示す平面図である。
【図２】本発明に係る手袋の甲側の指部の型についての第２の実施形態を示す平面図である。
【図３】図２に示す手袋の甲側の指部の型を示す平面図において、手袋の製造前に第１指と第２指のマチが形成された状態を示す平面図である。
【図４】本発明に係る手袋製造品についての第１の実施形態を示す上面図である。
【図５】一体に構成された掌と平側の指の型についての第１の実施形態を示す平面図である。
【図６】一体に構成された掌と平側の指の型についての他の例である第２の実施形態を示す平面図である。
【図７】図６に示す掌と平側の指の型を完成させるための２つの中央指の型を示す平面図である。
【図８】平側の指部の対応する指部分に縫い付けられた甲側の指部の指部分についての第１の実施形態の側部縦断面図である。
【図９】本発明を構成する指側部の他の形状についての第２の実施形態の側面図である。
【図１０】本発明を構成する指側部のさらに他の形状についての実施形態の第３の実施形態の側面図である。
【図１１】一対の浅いＶ字状切り込みを形成した、甲側の親指の型についての第１の実施形態を示す平面図である。
【図１２】一対のさらに深いＶ字状切り込みを形成した、甲側の親指の型についての第２の実施形態を示す平面図である。
【符号の説明】
【００３２】
１…Ｖ字状切り込み
２…星状型片
３…中央部
４…指部分
５…先端部
６…Ｖ字状切り込み
７…Ｖ字状切り込み
８…切り抜き
９…第１のマチ
１０…第２のマチ
１１…リストストラップ
１２…締め紐
１３…ストリップ
１４…掌と平側の指の型
１５…掌強化部
１６…掌と平側の指の型
１７…掌
１８…小指（第５指）
１９…人差し指（第２指）
２０…掌強化部
【図１】
2006161266.tif 000003
【図２】
2006161266.tif 000004
【図３】
2006161266.tif 000005
【図４】
2006161266.tif 000006
【図５】
2006161266.tif 000007
【図６】
2006161266.tif 000008
【図７】
2006161266.tif 000009
【図８】
2006161266.tif 000010
【図９】
2006161266.tif 000011
【図１０】
2006161266.tif 000012
【図１１】
2006161266.tif 000013
【図１２】
2006161266.tif 000014